(57)【要約】【課題】装着状態において本来の眼鏡レンズの機能である例えば遠距離や中〜近距離の目視が可能で、視線を移動させるだけでごく近接した位置を目視できる眼鏡装着用ルーペを提供すること。【解決手段】眼鏡の左右少なくとも一方の眼鏡レンズに取り付ける眼鏡装着用ルーペ１において、眼鏡レンズに対して取着させるためのクリップ３と、クリップ３に連結されクリップ３を基部として片持ち梁状に延出されるレンズ有効部として長さ２０〜４０ｍｍの長尺のルーペ部本体２とを有し、ルーペ部本体２はクリップ３によって眼鏡レンズの前面に対して間隔を開けて非接触に保持される。【選択図】図１
2015200686.tif 000002
【特許請求の範囲】
【請求項１】
眼鏡の左右少なくとも一方の眼鏡レンズに取り付ける眼鏡装着用ルーペにおいて、
前記眼鏡レンズに対して取着させる保持部と、
前記保持部に連結され前記保持部を基部として片持ち梁状に延出されるレンズ有効部として長さ２０〜４０ｍｍの長尺のルーペ用レンズ体とを有し、
前記ルーペ用レンズ体は前記保持部によって前記眼鏡レンズの前面に対して間隔を開けて非接触に保持されることを特徴とする眼鏡装着用ルーペ。
【請求項２】
前記ルーペ用レンズ体のレンズ有効部の幅は７〜１２ｍｍであることを特徴とする請求項１に記載の眼鏡装着用ルーペ。
【請求項３】
前記保持部は前記眼鏡レンズに対して着脱可能であることを特徴とする請求項１又は２に記載の眼鏡装着用ルーペ。
【請求項４】
前記保持部に対して前記ルーペ用レンズは回動可能に支持されることを特徴とする請求項１〜３のいずれかに記載の眼鏡装着用ルーペ。
【請求項５】
前記保持部に対して前記ルーペ用レンズは磁力による吸着によって支持されていることを特徴とする請求項１〜４のいずれかに記載の眼鏡装着用ルーペ。
【請求項６】
前記ルーペ用レンズの少なくとも長手方向に沿った縁部分を着色したことを特徴とする請求項１〜５のいずれかに記載の眼鏡装着用ルーペ。
【請求項７】
前記ルーペ用レンズはメニスカスレンズであることを特徴とする請求項１〜６のいずれかに記載の記載の眼鏡装着用ルーペ。
【請求項８】
前記ルーペ用レンズの最も厚い領域が前記レンズ有効部の長手方向中央位置よりも前端側に存在することを特徴とする請求項１〜７のいずれかに記載の記載の眼鏡装着用ルーペ。
【請求項９】
前記保持部はばね部材と、同ばね部材の付勢力によって相対的に接近させられて前記眼鏡レンズを挟持するために対向配置された一対の挟持体とを有することを特徴とする請求項１〜８のいずれかに記載の眼鏡装着用ルーペ。
【請求項１０】
前記一対の挟持体の内面にはクッション部材が配設されていることを特徴とする請求項９に記載の眼鏡装着用ルーペ。
【発明の詳細な説明】
【技術分野】
【０００１】
本発明は眼鏡に装着してごく近接した位置で物体を目視するために使用する眼鏡装着用ルーペに関するものである。
【背景技術】
【０００２】
従来から、眼鏡に装着してごく近接した位置で物体を目視するために使用される眼鏡装着用ルーペがある。このような眼鏡装着用ルーペとして、例えば特許文献１及び２に示すようなものがある。特許文献１はルーペ１（ルーペ本体２）を眼鏡枠５ａに保持枠３を介して吊り下げ支持して眼鏡レンズの前面に配置させるようにしたものである。また、特許文献２は補助眼鏡２（ルーペ）を補助ブリッジ２２を使用して通常の眼鏡レンズの前面に配置させるものである。
【先行技術文献】
【特許文献】
【０００３】
【特許文献１】実開昭５５−１１６３０７号公報
【特許文献２】特開２０１３−１９５８５３号公報
【発明の概要】
【発明が解決しようとする課題】
【０００４】
しかしながら、これら特許文献のような眼鏡装着用ルーペはいずれも眼鏡レンズの前面を大きく覆うように配置されるものであって、これら眼鏡装着用ルーペを使用している最中では本来の眼鏡レンズの機能が損なわれた状態での使用となってしまう。例えば特許文献１のルーペ本体２を眼鏡レンズに装着した状態で遠くを見たり、本を読んだりすることはルーペ本体２が邪魔になって不便である。特許文献２でも同様であって、補助眼鏡２としてルーペでの使用であればやはり遠くを見たり、本を読んだりすることについては不便となる。これら特許文献の眼鏡装着用ルーペは使用時において眼鏡装着用ルーペの機能のみを使用することを前提としたものだからである。
そのため、本来の眼鏡レンズの機能を損なわずに使用可能な眼鏡装着用ルーペが求められていた。
本発明は、このような従来の技術に存在する問題点に着目してなされたものである。本発明の目的は、装着状態において本来の眼鏡レンズの機能である例えば遠距離や中〜近距離の目視が可能で、視線を移動させるだけでごく近接した位置を目視できる眼鏡装着用ルーペを提供することにある。
【課題を解決するための手段】
【０００５】
上記課題を解決するために手段１として、眼鏡の左右少なくとも一方の眼鏡レンズに取り付ける眼鏡装着用ルーペにおいて、前記眼鏡レンズに対して取着させる保持部と、前記保持部に連結され前記保持部を基部として片持ち梁状に延出されるレンズ有効部として長さ２０〜４０ｍｍの長尺のルーペ用レンズ体とを有し、同ルーペ用レンズ体は前記保持部によって前記眼鏡レンズの前面に対して間隔を開けて非接触に保持されることをその要旨とする。
このような構成の眼鏡装着用ルーペでは、眼鏡に装着する際の取り付け位置は、眼鏡の左右少なくとも一方の眼鏡レンズの下方位置に保持部が耳側の外寄りとなるように自ずと配置されることとなる。そして、ルーペ用レンズ体の基本配置位置としては眼鏡の鼻当て方向に水平〜略水平となるように延出されることとなる。そして、ルーペ用レンズ体は長さ２０〜４０ｍｍの長尺に構成されているため、ユーザーは遠方に視線を合わせることで遠用〜近用での本来の眼鏡レンズの機能での使用が可能となるとともに、ルーペ用レンズ体を通してごく近接した位置にある物体を明瞭に目視することが可能となる。また、このような構成であれば、装着状態で通常の眼鏡での両眼視も可能である。「ごく近接した位置」とは明視距離（一般的に２５〜３０cm）や眼鏡での矯正距離よりも近接した位置である。 
ここに、本発明の眼鏡装着用ルーペが上記のような配置となる理由は次の通りである。つまり、眼鏡装着用ルーペはごく近接した位置を見る場合、例えばデジタルスチールカメラやデジタルビデオカメラのモニターに顔を近づけて見るような場合や、ごく小さな文字を見る場合等に使用されるものであるため、下向き視線が透過する眼鏡レンズの下方位置に配置される必要があるからである。また、視線は遠用視から近用視に移行する際に眼が内側に輻輳することとなるため保持部を鼻側に配置した場合では近用視の際に保持部が視野に大きく入ってしまい邪魔である。また、眼鏡には鼻当てがあることから保持部を鼻側に配置することは取り付けの困難さがあるからである。
【０００６】
本発明の眼鏡装着用ルーペは長さ２０〜４０ｍｍの長尺に構成されている。これは眼鏡レンズの横幅と瞳孔（変化幅２〜８ｍｍ）を考慮して瞳孔の位置まで進出でき、なおかつ片方のレンズを越えない長さとして設定したものである。眼鏡装着用ルーペのレンズ有効部の長さはより好ましくは２５〜３５ｍｍである。
また、ルーペ用レンズ体は保持部によって眼鏡レンズの前面に対して間隔を開けて非接触に保持される構成である。つまり、ルーペ用レンズ体が眼鏡レンズの前面に接触してしまうと眼鏡レンズに傷がつきやすくなるからである。
ルーペ用レンズ体としては、メニスカス凸レンズ形状とすることができ、フレネルレンズを使用することもできる。メニスカス凸レンズ形状では収差を低減するために非球面レンズとすることがよい。
【０００７】
また、手段２として、前記ルーペ用レンズ体のレンズ有効部の幅は７〜１２ｍｍであることをその要旨とする。
このような構成とすることで、眼鏡装着用ルーペを眼鏡に装着した際に上下幅が大きすぎて視界の妨げになることがなくなる。一方、ルーペとしての機能や保持部を操作する際の操作しやすさも考慮した幅である。眼鏡装着用ルーペのレンズ有効部の幅はより好ましくは７〜１０ｍｍである。
また、手段３として、前記保持部は前記眼鏡レンズに対して着脱可能であることをその要旨とする。
これによって、ユーザーの所望によって眼鏡装着用ルーペを眼鏡に付けることも外すことも自在となる。保持部は眼鏡レンズに着脱可能に取着するための機構を有している。例えば、クリップのようにバネの付勢力を利用して挟持体によって眼鏡レンズを前後から挟んだり、挟持体を雄ネジと雌ネジの関係で進出させて眼鏡レンズを前後から挟んだりして固定することができる。
【０００８】
また、手段４として、前記保持部に対して前記ルーペ用レンズは回動可能に支持されることをその要旨とする。
これによって、ルーペとして使用しない場合には待避させることが可能となる。また、ユーザーの好みで配置位置を変更することも可能となる。支持機構としては、例えば保持部側の軸に対してルーペ用レンズ体を回動可能に取着したり、ユニバーサルジョイントを使用したりすることができる。
また、手段５として、前記保持部に対して前記ルーペ用レンズは磁力による吸着によって支持されていることをその要旨とする。
これはルーペ用レンズを保持部に回動可能に支持させる好適な一例であって、更にルーペ用レンズを保持部に対して着脱することもできるため、一々眼鏡レンズに固定した保持部を外さなくともルーペ用レンズだけを眼鏡レンズの前面位置から取り外すことができ便利である。
【０００９】
また、手段６として、前記ルーペ用レンズの少なくとも長手方向に沿った縁部分を着色したことをその要旨とする。
ルーペ用レンズに縁部分がある場合（つまり、ルーペ用レンズ周囲がレンズ面に対して交差した不連続な外周面を周囲に有している場合）には、本発明の眼鏡装着用ルーペの使用方法から考えると瞳孔の前方下方位置に長手方向に沿った縁部分が配置されることとなる。その場合に縁部分に着色することで反射光が眼に入りにくくなって、まぶしさを低減することができる。着色は黒色のような濃色がよく、光沢がないことがよい。
【００１０】
また、手段７として、前記ルーペ用レンズはメニスカスレンズであるこ とをその要旨とする。
ルーペ用レンズとしてメニスカスレンズ形状であると裏面が膨出せず眼鏡レンズに接触しにくくなるからである。
また、手段８として、前記ルーペ用レンズの最も厚い領域が前記レンズ有効部の長手方向中央位置よりも前端側に存在することをその要旨とする。
凸レンズでは最もレンズ厚みのある光学中心付近がプリズム量が少なく、一方端ほどプリズムが発生しやすくなる。そのため、このように構成することで実際に眼鏡装着用ルーペを装着した際に、プリズムが発生しにくい領域をなるべく瞳孔の近傍に配置させることが可能となる。
【００１１】
また、手段９として、前記保持部はばね部材と、同ばね部材の付勢力によって相対的に接近させられて前記眼鏡レンズを挟持するために対向配置された一対の挟持体とを有することをその要旨とする。
これは、保持部の具体的な構造を説明するものである。これによって保持部は眼鏡レンズを挟持することができ眼鏡装着用ルーペを眼鏡に装着して使用することができる。
また、手段１０として、前記一対の挟持体の内面にはクッション部材が配設されていることをその要旨とする。
これによって挟まれる眼鏡レンズに傷がつきにくくなる。
【発明の効果】
【００１２】
本発明の眼鏡装着用ルーペでは、装着状態において本来の眼鏡レンズの機能である例えば遠距離や中〜近距離の目視が可能で、視線を移動させるだけでごく近接した位置を目視することが可能となる。
【図面の簡単な説明】
【００１３】
【図１】本発明の実施の形態の眼鏡装着用ルーペの斜視図。
【図２】同じ実施の形態の眼鏡装着用ルーペについてルーペ部本体側のみを破断した部分断面図。
【図３】同じ実施の形態の眼鏡装着用ルーペの側面図。
【図４】ルーペ部本体の形状を説明するためのイメージ図。
【図５】同じ実施の形態の眼鏡装着用ルーペの使用方法を説明する図であって（ａ）は正面方向からの説明図、（ｂ）は平面方向からの説明図。
【図６】他の実施の形態のルーペ部本体の形状を説明するための説明図。
【図７】他の実施の形態の保持部を説明するための説明図。
【発明を実施するための形態】
【００１４】
以下、本発明の眼鏡装着用ルーペの具体的な実施の形態について図面に基づいて説明する。
図１及び図２に示すように、本実施の形態の眼鏡装着用ルーペ１は、ルーペ用レンズとしてのルーペ部本体２と保持部としてのクリップ３から構成されている。ルーペ部本体２はプラスチックとしてエポキシ樹脂を使用した正面視において略長方形をなす透明なレンズ体から構成されている。ルーペ部本体２はメニスカスレンズであってイメージとしては図４のような円盤状のメニスカスレンズＬの光学中心Ｏを含んだ径方向を長手方向とした一定の領域を長方形の外郭でカットしたような成形品を面取りして作製されている。光学中心Ｏは成形品の長手方向の中心からずれた位置に存在する。本実施の形態のルーペ部本体２の素材屈折率は１．７０、表面の曲率半径１４０ｍｍ、裏面の曲率半径３４３．６４ｍｍに形成され、度数は＋３．００である。ルーペ部本体２の全長は３６．５ｍｍ、幅６．５ｍｍとされている。光学中心Ｏはルーペ部本体２の先端から１０．５ｍｍの位置に配置されその位置での厚みは２．５０ｍｍとされている。
図１及び図２に示すように、ルーペ部本体２は厚い側が先端とされ、プリズムが発生しやすい薄い側が基部とされている。ルーペ部本体２は各稜角部分（３辺の交差部分）及び出隅部分（２辺の交差部分）が面取りされ、ルーペ部本体２先端は若干の丸みを帯びた形状（つまり湾曲した面）に構成されている。
ルーペ部本体２の基部寄りには上面には平面視において長方形形状をなす化粧プレート５が配設されている。図２に示すように、化粧プレート５が配置されるルーペ部本体２の上面の領域は化粧プレート５の厚み分だけ階段状に下がった段差部６が形成されており、化粧プレート５は段差部６上にレンズ面と面一となるように貼着されている。化粧プレート５よりも前方側の領域がレンズ有効部とされる。
化粧プレート５の裏面側には円盤形状の磁石７が配設されている。図２に示すように、磁石７が配置されるルーペ部本体２の裏面の領域には凹部８が形成されており、磁石７は凹部８内にわずかに露出する状態で埋め込まれている。
ルーペ部本体２の周囲を包囲する４つの縁部分２ａはすべてつや消しの黒色で着色されている（図では黒色着色を点描で表現している）。
【００１５】
図１〜図３に示すように、クリップ３は合金製の磁性体である保持部本体１０と同じく合金製の揺動片１１から構成されている。保持部本体１０はＪ字状に屈曲された全体形状とされ、第１のアーム１２と、第１のアーム１２の基部から屈曲状に延出された第２のアーム１３から構成されている。クリップ３の幅はルーペ部本体２の幅よりも広すぎることのないことが、視野の邪魔にならないためよいが、あまり細いと操作しにくくなる。ここでは、クリップ３の幅より若干狭い４．５ｍｍとされている。第１のアーム１２の上面は水平に延出された吸着面１２ａとされている。第２のアーム１３の先端寄りは二股に分かれ、先端には一対の軸受け孔１４が形成されている。揺動片１１は左右一対の軸受け片１５と、軸受け片１５の前後にそれぞれ延出される第３のアーム１６及び押動片１７から構成されている。軸受け片１５には軸受け孔１８が形成されている。図３に示すように、保持部本体１０と揺動片１１は第２のアーム１３を軸受け片１５内に配置して軸受け孔１４、１８を照合させた状態で回動軸となるピン１９を挿通して連結されており、保持部本体１０に対して揺動片１１は相対的に揺動可能とされている。ピン１９の外周にはねじりコイルバネ２０が配設されている。ねじりコイルバネ２０は揺動片１１の第３のアーム１６がピン１９を中心に回動して常時第１のアーム１２の裏面を押動する方向に付勢されている。第３のアーム１６と第１のアーム１２の当接面にはそれぞれクッション部材としての発泡シリコーンゴム製のシート体２１が貼着されている。このように対向配置された第１のアーム１２と第２のアーム１３（より具体的には第３のアーム１６と第１のアーム１２）によって挟持体が構成される。
ルーペ部本体２は第１のアーム１２の吸着面１２ａに対して磁石７が面接触して支持された状態で、眼鏡レンズ表面と接することとなる第１のアーム１２の裏面のシート体２１に対して上下な高さを有している。つまり、ルーペ部本体２は眼鏡への装着状態で眼鏡レンズに接しないような十分な間隔が与えられることとなる。
【００１６】
次に、このように構成された眼鏡装着用ルーペ１の使用方法について説明する。
まず、ルーペ部本体２をクリップ３に磁力による吸着によって図１のような向きで支持させるようにする。つまり、ルーペ部本体２の先端側と押動片１７後端が１８０度逆方向に向いて配置されている状態である。このとき、第１のアーム１２の上面の吸着面１２ａは長く構成されているのでルーペ部本体２の磁石７は吸着面１２ａの長手方向に沿ったユーザーの所望の位置に吸着させることが可能である。
さて、ここではルーペ部本体２をクリップ３に支持させた状態で、眼鏡装着用ルーペ１をある眼鏡に装着するものとする。ユーザーは図５（ａ）（ｂ）に示すように眼鏡２５のつる２６よりも下側位置となる耳側からルーペ部本体２が眼鏡レンズ２７の前面に長手方向が水平となって配置されるようにクリップ３を操作する。尚、ルーペ部本体２は眼鏡レンズ２７に対して両者の光軸が一致し、光学中心で並行となるように取着されることが理想的には望ましい。 ユーザーはクリップ３の押動片１７と第１のアーム１２の基部を指で挟み、押動片１７を押動して揺動片１１を揺動させる。第１のアーム１２と第３のアーム１６の間が開いた状態で眼鏡レンズ２７をその間に挟ませるようにする。指を離すことでねじりコイルバネ２０の付勢力によって第１のアーム１２と第３のアーム１６の間に眼鏡レンズ２７が挟まれ眼鏡装着用ルーペ１は眼鏡２５に保持される。このとき、ルーペ部本体２は片持ち梁状に支持されるため眼鏡レンズ２７との間に間隔がある。
この装着作業は眼鏡２５をかけたままでも、あるいは眼鏡２５を一旦外した状態で行ってもよい。また、クリップ３だけ先に眼鏡２５に装着し、その後にルーペ部本体２をクリップ３に支持させてもよい。
クリップ３に対して必ずしもルーペ部本体２を水平に延出しなくともよい。ユーザーの所望によっては例えば多少ルーペ部本体２をわずかに回動させて傾けるような支持位置とすることも可能である。
一旦、ユーザーの好みの位置に装着した後は、ユーザーは常時その位置で眼鏡２５として遠方視をしたり、本を読んだりすることができ、必要に応じてはより近傍の位置をこの眼鏡装着用ルーペ１を通して目視できる。また、不必要な場合にはルーペ部本体２をクリップ３から外したり、クリップ３の磁石７の吸着位置を回動中心として回動させて待避させてもよい。
【００１７】
上記のような構成とすることで、本実施の形態の眼鏡装着用ルーペ１では次のような効果が奏される。
（１）眼鏡２５に眼鏡装着用ルーペ１を装着することで眼鏡装着用ルーペ１を通して例えば外光をカメラのモニターに当てることなくごく近傍で見ることができ、一方でルーペ部本体２が細長く形成されているため遠方〜近方を目視する領域は確保されることとなって眼鏡装着用ルーペ１を外さなくともそのまま眼鏡２５として遠方視をしたり、近距離では本を読むこともできることとなり、様々な異なった距離での対象物の目視が眼鏡２５をかけたまま可能となる。
（２）ルーペ部本体２は瞳孔の前面付近がもっともプリズムの少ない領域となるため、レンズとして見やすいものとなっている。
（３）ルーペ部本体２はクリップ３に対して磁石７の吸着位置を回動中心として自在に回動させることができるため、邪魔ではあるが外すほどではない場合に待避位置に回動させて移動させることができる。また、ユーザーの所望によってルーペ部本体２をわずかに回動させて使用するようなことも行うことができて便利である。
（４）ルーペとして使用することがない場合にはクリップ３を眼鏡２５側に残してルーペ部本体２のみを取り外すことが可能であるため、ユーザーがクリップ３を眼鏡２５に再度装着する手間が省ける。
（５）ルーペ部本体２の縁部分２ａはつや消し黒色に着色されているため、実際の使用の際にユーザーの眼の近傍に配置される長手方向の縁部分２ａに光が反射してまぶしく感じてしまうことがない。
【００１８】
尚、この発明は、次のように変更して具体化することも可能である。
・上記ではルーペ部本体２の一部に磁石７を埋め込んでクリップ３に支持させるようにしたが、図６に示すようにこの磁石７を埋め込む部分をルーペ部本体２とは別体の部品２９で構成するようにしてもよい。
・ルーペ部本体２の形状やサイズは上記に限定されるものではない。長さ２０〜４０ｍｍに収まる長尺な形状であればよい。また、レンズとしてのデータも上記に限定されるものではない。上記では一例としてメニスカスレンズ形状を示したが、他のレンズで実施することも可能である。例えば、フレネルレンズやを使用することもできる。また、レンズとしては非球面レンズとすることが収差の低減という点からよりよい。
・上記実施の形態のクリップ３以外の形状や、クリップ以外の眼鏡レンズ２７を挟持する保持部としてもよい。
・図７に示すように、保持部として磁性体となる金属体（例えば合金製の円盤３０）を粘着フィルム３１に搭載した、粘着フィルム３１を眼鏡レンズ３２に貼着するようにし、ルーペ部本体２のみを円盤３０に着脱させるようにしてもよい。
・上記実施の形態ではルーペ部本体２は成形品として作製するとしたが、実際に図４のようにレンズ体の一部をカットして得るようにしてもよい。
・上記化粧プレート５は別体として貼着したが、印刷で構成してもよい。化粧プレート５の形状は上記以外でもよい。
・ルーペ部本体２の縁部分２ａはつや消し黒色に着色したが、他の濃色で着色してもよい。また、実際に必要なのは長手方向の縁２ａなので長手方向だけを着色するようにしてもよい。
・クリップ３に対するルーペ部本体２の位置を離間させるために（つまり高さを調整するために）両者間に介在する部材、例えば磁性体の板体等を第１のアーム１２の上面に配置するようにしてもよい。
・クリップ３に対してルーペ部本体２を回動させるために例えばユニバーサルジョイントのような手段を使用してもよい。この場合にはクリップ３に対してルーペ部本体２を簡単に外すことができない態様となる。
その他本発明はその趣旨を逸脱しない態様で変更して実施することは自由である。
【符号の説明】
【００１９】
１…眼鏡装着用ルーペ、２…ルーペ用レンズ体としてのルーペ部本体、３…保持部としてのクリップ、３０…保持部の一部をなす円盤、３１…保持部の一部をなす粘着フィルム、２７，３２…眼鏡レンズ。
【図１】
2015200686.tif 000003
【図２】
2015200686.tif 000004
【図３】
2015200686.tif 000005
【図４】
2015200686.tif 000006
【図５】
2015200686.tif 000007
【図６】
2015200686.tif 000008
【図７】
2015200686.tif 000009